(57)【特許請求の範囲】
【請求項１】
使い捨て物を可撓性材料の細長いチューブに詰めるための装置であって、ホルダの下に配置され、第１の部分と第２の部分を含む閉鎖機構とを含み、第２の部分が閉位置で第１の部分に向かって付勢され、且つ少なくとも１つの使い捨て物を受けるための受け面を画成し、第２の部分が、受け面にほぼ垂直な力を加えることによって閉位置から開位置まで移動でき、且つ付勢手段の作用で開位置から閉位置まで移動でき、閉鎖機構は、開位置で、ビンの開口と閉鎖機構の下に位置した筐体の底部分との間に通路を画成し、閉鎖機構は、閉位置で、前記通路を閉じるようになった装置に用いられ、使い捨て物を入れるための袋を細長いチューブから分離するためのカセットであって、
蓄積状態で一本のチューブを収容する環状受け器と、
チューブを分離するための、環状受け器の上端の環状開口を有し、環状受け器は、中央開口を画成し、チューブの結び目端が中央開口の中を通って環状受け器によって支持された袋を形成し、使い捨て物が円形中央開口を通って袋に受け入れられるようになっており、
さらに、前記装置の第２の部分を含む可動部分の動きを妨げず、又は前記カセットが上下逆さまに装着されたときに前記装置の第２の部分を含む可動部分を動けないようにし、前記装置の干渉部材を相補的に受けることができる、中央開口の底にだけ形成されたクリアランス部とを備えるカセット。
【請求項２】
クリアランス部は面取りの形状である請求項１に記載のカセット。
【請求項３】
取り外し可能な蓋が、環状受け器の環状開口を閉じる請求項１に記載のカセット。
【請求項４】
環状受け器の外周が下方にテーパーしている請求項１に記載のカセット。
【請求項５】
環状開口は、環状受け器の外周に隣接している請求項１に記載のカセット。
【請求項６】
クリアランス部は中央開口の全周に延びる請求項１に記載のカセット。
【請求項７】
少なくとも１つの使い捨て物を細長い可撓性材料に詰めるための装置であって、
上部に、少なくとも１つの詰められるべき使い捨て物を受け入れるための開口が画成された筐体を画成するビンと、
ビン内の開口の近くにあるホルダであって、その底に少なくとも１つの干渉部材があるホルダと、
ホルダの下に配置され、第１の部分と第２の部分を含む閉鎖機構とを含み、第２の部分が閉位置で第１の部分に向かって付勢され、且つ少なくとも１つの使い捨て物を受けるための受け面を画成し、第２の部分が、受け面にほぼ垂直な力を加えることによって閉位置から開位置まで摺動でき、且つ付勢手段の作用で開位置から閉位置まで摺動でき、
閉鎖機構は、開位置で、ビンの開口と閉鎖機構の下に位置した筐体の底部分との間に通路を画成し、閉鎖機構は、閉位置で、前記通路を閉じるようになっており、
装置は、さらに、ビンの開口の中でホルダによって支持されたカセットを含み、カセットは、蓄積状態の一本のチューブを収容する環状受け器を有し、環状受け器は、チューブが中央開口を通って延びるようにチューブを分離するための上環状開口を有し、チューブの結び目の端が使い捨て物を受け入れるためにビンの筐体の中にあり、閉鎖機構がチューブを閉じ、カセットは、少なくとも１つの干渉部材と向かい合い、所望の向きでカセットがビンの上部と整合するように干渉部材と協働するために、環状開口の底部分にだけ形成されたクリアランス部を有し、
前記クリアランス部は、前記装置の第２の部分を含む可動部分の動きを妨げず、又は前記カセットが上下逆さまに装着されたときに前記装置の第２の部分を含む可動部分を動けないようにし、前記干渉部材を相補的に受けることができる、
装置。
【請求項８】
第２の部分は、ホルダに連結された支持部によって摺動自在に支持されている請求項７に記載の装置。
【請求項９】
ホルダは、ビンの外壁から内方に延びる第１の環状フランジと、
第１の環状フランジの内側端からほぼ下方に延びる管状壁と、
管状壁の下端から内方に延び、カセットを受けるための座を形成する第２の環状壁を含む請求項７に記載の装置。
【請求項１０】
管状壁は、下方にテーパーし、カセットは、ホルダ内でカセットの相補的係合のための、対応する裁頭円錐形状の外周を有する請求項９に記載の装置。
【請求項１１】
ビンの開口は、取り外し可能な蓋によって取り囲まれ、蓋は、ビンの開口にアクセスのため開閉し、カセットがホルダの中に逆さまに配向されたときに、蓋が正しく取り付けられないようになっている請求項７に記載の装置。
【請求項１２】
蓋は、ビンの開口を取り囲む漏斗を含む請求項１０に記載の装置。
【請求項１３】
カセットのクリアランス部は、面取りの形状である請求項７に記載の装置。
【請求項１４】
クリアランス部は、中央開口の全周に延びる請求項７に記載の装置。
【発明の詳細な説明】
【技術分野】
【０００１】
本発明は、使い捨て材料又は物を可撓性プラスチック材料フィルムのチューブに入れるための装置に関する。より具体的には、本発明は、幼児用使い捨てオムツ、又は他の種類の適当な物若しくは材料のような廃棄物を可撓性プラスチックフィルム材料のチューブに入れ、このように入れられた廃棄物を、廃棄物が回収されるまで衛生的に且つほぼ無臭な方法で保管するために使用する装置に関する。
【背景技術】
【０００２】
一般的に、上述のような既知の装置は、処分されるべき廃棄物が入れられる開口、又は開けることができる上部分と、処分された廃棄物が保管される底部分を有する容器を含む。リング形のカセットが、容器の上部分に取り付けられ、細長いチューブに形成される可撓性プラスチックフィルム材料のチューブをひだ付き形態で収容し、このチューブは、その底端に結び目が作られ、その中に廃棄物を入れて一時的に保管する。
【０００３】
使用中、処分されるべき廃棄物を容器の上部分でチューブに入れ、次いでチューブと廃棄物を保管目的で、カセットの開口中央部を通して容器の底部分に向かって押す。カセットの下でチューブを閉じ、かくして保管の間、悪臭気がチューブから逃げるのを防止するための閉鎖可能な手段が設けられている。
【０００４】
カナダ特許第１，２９８，１９１では、これらの閉鎖可能な手段が、チューブを一定の間隔で捩って、廃棄物が保管されている間、密封保持される連続的な「小袋」を形成するために、蓋によって円筒体を中心に回されるコアとして開示されている。
【０００５】
カナダ出願公開第２，３８３，７９９号では、カセットからチューブを引き、チューブを容器に入れられた物と共に下方に移動させ、圧搾デバイスが、カセットの下で容器に取り付けられる。圧搾デバイスは、一対の向かい合った回転部材を含み、その間にチューブが挿入される。回転部材は、複数の向かい合ったバーを有し、これらのバーは、チューブを圧搾し、処分されるべき他の物が容器の上部分に入れられるまでチューブを閉鎖保持し、チューブを下方に引っ張って、チューブを形成するプラスチックフィルム及びそこに収容された物を保管目的で、容器の底部分に向かって移動させるために、チューブを横切って延びる。
プラスチックフィルムチューブの要求された圧搾、閉鎖、及び引き下げを達成する、一斉且つ反対方向における回転部材の作動は、好ましくは容器の一部であるレバーの作動によって得られる。
【０００６】
カナダ出願公開第２，４４１，８３７号では、処分されるべき物を圧縮し、それをチューブの中に押し入れて容器の底まで押すプランジャデバイスが設けられている。プランジャデバイスは、回動するフラップを取り付けた２つのアームと、向かい合った回動可能なスライドを含む。
【発明の開示】
【発明が解決しようとする課題】
【０００７】
これらの従来のデバイスの全ては、幾つかの欠点を有する。これらの機構は、多くの部品を有し、壊れがちである。これらのデバイスは、ユーザフレンドリーではなく、初めに購入したときにその操作を理解しにくい。これらは、製造がコスト高であり、カセットから過剰なフィルムを利用し、使用のコストが嵩む。あるものは、廃棄物の臭気を効果的に収容しない。あるものは、取り付けのときに混乱を招き、カセットが不正確に配向され、カセットの壁を汚染する。
【０００８】
従って、本発明の目的は、従来技術の問題に取り組む、使い捨て物をプラスチックフィルム材料の細長いチューブに詰めるための新規な装置を提供することである。
【課題を解決するための手段】
【０００９】
従って、本発明の第１の実施形態によれば、細長いチューブから袋を分配するためのカセットであって、蓄積状態で一本のチューブを収容する環状受け記と、チューブを分配するための、環状受け器の上端の環状開口とを有し、環状受け器は、中央開口を画成し、チューブの結び目端がこの開口の中を通って環状受け器によって支持された袋を形成し、使い捨て物が円形中央開口を通って袋に受け入れられるようになっており、さらに中央開口の底にだけ形成されたクリアランス部とを備えるカセットを提供する。
【００１０】
第１の実施形態によれば、クリアランス部は面取りの形状である。
【００１１】
第１の実施形態によれば、取り外し可能な蓋が、環状受け器の環状開口を閉じる。
【００１２】
第１の実施形態によれば、環状受け器の外周が下方にテーパーしている。
【００１３】
第１の実施形態によれば、環状開口は、環状受け器の外周に隣接している。
【００１４】
第１の実施形態によれば、クリアランス部は中央開口の全周に延びる。
【００１５】
第１の実施形態によれば、少なくとも１つの使い捨て物を細長い可撓性材料に詰めるための装置であって、上部に、少なくとも１つの詰められるべき使い捨て物を受け入れるための開口が画成された筐体を画成するビンと、開口の近くでビン内にあるホルダと、第１の部分と第２の部分を含み、ホルダの下に配置された閉鎖機構と、を含み、第２の部分が閉位置で第１の部分に向かって付勢され、且つ少なくとも１つの使い捨て物を受けるための受け面を画成し、第２の部分が、受け面にほぼ垂直な力を加えることによって閉位置から開位置まで摺動でき、且つ付勢手段の作用で開位置から閉位置まで摺動でき、閉鎖機構は、開位置で、ビンの開口と閉鎖機構の下に位置した筐体の底部分との間に通路を画成し、閉鎖機構は、閉位置で、前記通路を閉じ、ビンの開口の中でホルダによって支持されたカセットを含み、カセットは、当該カセットが閉鎖機構の閉位置から開位置への動作を妨げないようになったクリアランス部を有する装置を提供する。
【００１６】
依然として第１の実施形態によれば、ホルダは、ビンの外壁から内方に延びる第１の環状フランジと、第１の環状フランジの内側端からほぼ下方に延びる管状壁と、管状壁の下端から内方に延び、カセットを受けるための座を形成する第２の環状壁を含む。
【００１７】
依然として第１の実施形態によれば、管状壁は、下方向にテーパーしており、管状本体は、ホルダ内のカセットの相補的係合のための、対応する裁頭円錐形状の外周を有する。
【００１８】
依然として第１の実施形態によれば、ビンの開口は、取り外し可能な蓋によって取り囲まれ、蓋は、ビンの開口へのアクセスのために開閉し、カセットがホルダの中に逆さまに配向されたときに、蓋が正しく取り付けられるようになっている。
【００１９】
本願の第２の実施形態によれば、細長いチューブから袋を分配するためのカセットであって、蓄積状態で一本のチューブを収容する環状受け器と、チューブを分配するための、環状受け器の上端にある環状開口を有し、環状受け器は、チューブの結び目端が通って環状受け器によって支持された袋を形成する中央開口を画成し、使い捨て物が円形中央開口を通って袋に受け入れられるようになっており、さらに環状受け器の底にだけにクリアランス部を備えるカセットが提供される。
【００２０】
第２の実施形態によれば、クリアランス部は、環状受け器の底に裁頭円錐形状を形成する。
【００２１】
本発明の第３の実施形態によれば、少なくとも１つの使い捨て物を細長い可撓性材料のチューブに詰めるための装置であって、詰められるべき少なくとも１つの使い捨て物を受け入れるための、上部に開口が画成された筐体を画成するビンと、開口の近くでビン内にあるホルダ、及びホルダの底にある干渉部材と、ホルダの下に配置され、第１の部分及び第２の部分を含む閉鎖機構とを含み、第２の部分が閉位置で第１の部分に向かって付勢され、且つ少なくとも１つの使い捨て物を受けるための受け面を画成し、第２の部分が、受け面にほぼ垂直な力を加えることによって閉位置から開位置まで摺動でき、且つ付勢手段の作用で開位置から閉位置まで摺動でき、開位置での閉鎖機構は、ビンの開口と閉鎖機構の下に位置した筐体の底部分との間に通路を画成し、閉位置での閉鎖機構は、前記通路を閉じ、ビンの開口内でホルダによって支持され、一本のチューブを蓄積された状態で収容する環状受け器を有するカセットを含み、環状受け器は、チューブが環状受け器の中央開口を通って延びるように、チューブを分配するための上環状開口を有し、チューブの結び目端が使い捨て物を受け入れるためにビンの筐体の中にあり、閉鎖機構は、チューブを閉じ、環状本体が、少なくとも一つの干渉部材と向かい合い、所望の向きでカセットがビンの上部と整合するように干渉部材と協働するために、環状受け器の外周の底部分にクリアランス部を有し、カセットが所望の向きにあるときにのみビンの上部に面一に位置決めされた、取り外し可能な蓋を有し、蓋は、ビンの開口にアクセスのための開閉する装置を提供する。
【発明を実施するための最良の形態】
【００２２】
図１を参照すると、使い捨て物を、可撓性プラスチックフィルム材料の細長いチューブに入れるための装置１０が示される。装置１０は、ヒンジ部材１６で互いに連結された上部分１４及び底部分（図示せず）を有するビン１２を含み、上部分１４及び底部分の外壁がビン１２の筺体１８を画成する。
【００２３】
上部分１４と底部分は、ヒンジ部材１６の反対側に配置されたアイレット２０に受け入れられた押しボタンラッチ（図示せず）のような機構で互いに係止される。押しボタンの作動で、上部分１４と底部分は、連結が外れ、ヒンジ部材１６を中心に回動して離れ、例えばビン１２を空にするため筺体１８にアクセスする。
【００２４】
上部分１４は、使い捨て物を受け入れるための開口２２を画成する。ビン１２は、例えば漏斗の形状（以下、漏斗２５）のリング２５に取り付けられた蓋２４をさらに含み、リングが開口案内を形成する限り、平らなリングのような多種多様な形状が考えられる。漏斗２５は、蓋２４の回動動作により選択的に開閉して開口２２にアクセスするように、上部分１４に取り付けられる。図示した実施形態では、装置は、ほぼ円形の開口２２を有するけれども、ビン１２は、円形の開口に限定されず、異なる形状の開口で機能することもできる。
【００２５】
図１を依然として参照すると、装置１０は、また、可撓性プラスチックフィルムチューブ３２のカセット３０を保持するための、上部分１４内で開口の近くに配置されたホルダ２６を含む。カセット３０は、カセット３０がホルダ２６内に収容されたときに、ビンの開口２２とほぼ整合する中央開口３４を画成する環状本体を有する。
【００２６】
図１、２Ａ及び２Ｂを同時に参照すると、カセット３０は、蓋３６と底環状受け器３８を有する。蓋３６を取り除いた後、可撓性チューブ３２は、受け器３８の外周に隣接した受け器３８の上環状開口から出る。一旦、蓋３６が取り除かれると、環状開口に隣接した上フランジ３９が残り、これは、圧縮されたチューブ３２を受け器３８内に維持する。カセット３０は、集積された（例えば、重ねられた）一本の可撓性プラスチックフィルム材料を含む。図１に示すように、袋の端を形成する結び目４０が、チューブ３２の自由端の見受けられる。結び目４０と１本のチューブは、カセット３０から、カセット３０の中央開口３４を通ってビン１２の筺体１８の中へ延びる。臭気をよりよく収容するために、チューブ３２のフィルム材料は、臭気がフィルム材料を透過しないように、臭気バリアを有する多層フィルムであるのが好ましい。カセット３０の受け器３８は、中央開口３４の底に面取りクリアランス部４１を画成する。面取りクリアランス部４１は、以下で詳述するように、装置１０を使用しているときに、カセット３０をホルダ２６内に正しく取り付けるのを保証するために設けられる。面取りクリアランス部４１は、カセット３０の全周に設けられているが、部分的（すなわち、カセットの中央開口の全周にではない）であってもよい。
【００２７】
図１を参照すると、ホルダ２６は、ビン１２の上部から内方に延びる上環状フランジ４２を含む。管状壁４４が、上環状フランジ４２の内側端から下方に延びる。ホルダ２６は、カセット３０を支持する座を画成するように、壁４４の底部に、平行フランジ４５を有する。ホルダ２６は、どんな代替形状及び形態を採ってもよいことを理解すべきである。
【００２８】
図１及び図３Ａ，３Ｃを参照すると、装置１０は、閉鎖機構５０をさらに含み、その目的は、閉鎖機構の下で延びる可撓性チューブ３２にアクセスし、且つ可撓性チューブ３２から臭気が逃げるのを防止することにある。一つの使用形態では、閉鎖機構は、使い捨て物をチューブ３２の底（結び目４０の位置）に押し付けて、自由な可撓性チューブをカセット３０の受け器３８から引き出す。注目すべき一側面は、可撓性チューブ３２が、受け器３８及び閉鎖機構５０を通り越し、それにより受け器３８及び閉鎖機構５０を、入れられるべき使い捨て物から隔離し、開口３４を画成する壁及び機構５０の定期的な掃除の要求を減らす。この点において、装置１０の好ましい用途の一つは、幼児用オムツの処分であることが理解されよう。
【００２９】
閉鎖機構５０は、ホルダ２６の壁４４に固定して連結された、ほぼＣ形部材からなる固定部分５２を含む。固定部２６としては、ホルダ２６に、又は上部分１４の他の部品に連結された追加の支持部材との連結部を含む、異なる種類の連結部も可能である。図１から解るように、湾曲固定部分５２は、開口２２の中へ突出する、丸形頂点を画成する。固定部分５２は、閉鎖機構５０の可動部分５８に向かって下方に傾斜した、受け面５６を画成する。
【００３０】
閉鎖機構５０の可動部分５８も断面がほぼ「Ｃ」形をなし、且つ装置１０の開口２２をほぼ閉じて、それによってチューブ３２を密閉するように、図１及び図３Ａに示す閉鎖位置で固定部分５２に付勢されている。図１で解るように、湾曲可動部分５８は、開口２２の中へ突出する丸形頂点６０を画成する。可動部分５８は、固定部分５２に向けて下方に傾斜した受け面６２を画成し、２つの受け面５６，６２は、物をその間に差し向けるトラフを形成する。閉位置では、２つの部分５２，５８の接触は、可動部分５８の頂点と、固定部分５２の頂点５４の下に位置した下部分との間である。これらの部分は、断面が波形をなし、図にしめすように、手がこれらに接触することを考慮してエルゴノミカル形状を提供する。その上、これらの波形部分は、それらの間に係合し、又はそれらの間に挟まれたプラスチックフィルムチューブ３２に効果的な密封を提供する。
【００３１】
可動部分５８は、ホルダ２６から下方に延びる、間隔を隔てた一対の略垂直な壁６４（図１にはこれらのうちの１つを示す）によって摺動自在に支持され、それらの間に開口が２つ整合される。壁６４の各々は、傾斜したスロット６６を有する。例示の実施形態では、スロット６６は、水平に関してほぼ４０度に傾斜されるが、他の作用角も適当である。
【００３２】
可動部分５８は、可動部分から延び、且つスロット６６に係合する、整合した摺動部材６６Ａを含み、可動部分５８は、スロット６６によって定められた角度方向に沿って、かくしてＡ方向沿って摺動自在に移動できる。可動部分５８は、図１及び図３Ａに示すように、可動部分５８がチューブ３２を密閉するために固定部分５２に当接する閉位置と、固定部分５２と可動部分５８の間に使い捨て物を通過させるのに十分な（図３Ｃに示すような）開位置との間で移動することができる。可動部分５８は、可動部分５８の摺動部材６６Ａに連結され、固定部分５２の後を回って摺動部材の間に延びる細長いつる巻きばね６７を使用しているので、図１の閉位置に付勢される。固定部分５２の凹面形状は、ばねをスロット６６によって画成される平面に整合した状態を維持するのを助ける。
【００３３】
カセット３０が適切な向きで取り付けられるべきであることが特に重要である。図１に示すように、適切な向きでは、チューブ３２は、カセット３０の上部から展開される。従って、チューブ３２は、カセット３０の開口３４内でその側壁を覆う。従って、チューブ３２がカセット３０を覆うと、カセットの壁が汚れる恐れがない。
【００３４】
図１で明らかに解るように、面取りクリアランス部４１が下方に位置決めされている。可動部分５８の移動経路を、Ｂで示す。可動部分５８が面取りクリアランス部４１を画成する壁に近接して通ることが観察される。面取りクリアランス部４１が設けられていなければ、カセット３０は、可動部分５８の移動を邪魔する。従って、カセット３０が逆さまに取り付けられたならば、可動部分５８が、その経路に沿って移動するのを妨げられる。従って、ユーザがカセット３０を正しく使用したければ、カセット３０を正しく配向させなければならない。
【００３５】
変形として、固定部分５２を、可動部分５８と反対方向に移動可能な部分によって置き換えることができ、これら２つは、閉位置に互いに付勢される。このような形態としては、例えば形態が図示の可動部材５８と似た２つの「Ｃ」形部材、２つのローラ等のような、その他の２つの摺動部材であって、これらの接点に定められる垂直軸を中心に互いに対称な２つの摺動部材があり、２つの摺動部材は、使い捨て物を摺動部材上に下方に押すときに、互いから摺動して離れ、且つ例えば１つ又は複数のばねによって相互に連結されることによって互いに付勢される。しかしながら、このような機構は追加の部品を含む。
【００３６】
ユーザがチューブ３２の中に使い捨て物を正確に入れるのを助けるために、装置１０は、有利には、カセット３０の上に、取り外し自在に取り付けられた漏斗２５を有し、この漏斗は、開口２２，３４の周りに下向きの形状を提供し、これは漏斗効果を生じ、且つユーザの手を案内する。ハンドル６８が、蓋２４／漏斗２５組立体を取り外すために設けられる。
【００３７】
図１を参照すると、装置１０はビン１２の中に、一体となった刃物７０をさらに含み、例えば垂直壁６４の一方に取り付けられ、且つ間隔を隔てた２つの保護フィンガの間に配置された刃を含み、この保護フィンガは、ユーザの指が刃に届くのを防止するように寸法決めされるが、フィンガの間に挿入されるべきチューブ３２の一部分が、依然として刃で切断することができる。
【００３８】
装置１０を使用に備えるためには、図１を参照するとユーザは、蓋２４及び漏斗２５組立体を取り外し、そしてカセット３０を正確な向きで（面取りクリアランス部４１が下方に面して）挿入する。ユーザは、チューブ３２の自由端をカセット３０から引き出し、可撓性チューブ３２の前縁を取り、それを結んで結び目４０にし、結び目４０を開口２２，３４を通して閉鎖機構を超えて押す。カセット３０を取り付けるのに先立って結び目４０を作ってもよいことを指摘する。可動部分５８は、下向きの圧力の結果として開き、それによって結び目４０は、閉鎖機構５０の下の筺体１８に達する。
【００３９】
変形として、チューブの結び目４０のある端を、例えば筐体１８にアクセスするために上部分１４を回動させて開き、チューブの結び目４０のある端を閉鎖機構５０を越えてビン１２の底まで引っ張ることによって、ビン１２の底まで引き下げてもよい。次いで上部分１４を、下部分と再び係合させ、蓋２４／漏斗２５組立体を、上部分１４に再び取り付ける。したがって、１本の空の可撓性チューブ３２は底まで延び、そして今、その中に使い捨て物を受け入れる準備ができた。従って、フィルム材料は、使い捨て物がチューブの中に入れられるときにカセット３０から引かれない。
【００４０】
使用中、使い捨て物を入れる必要があるとき、装置１０の蓋２４を持ち上げ、それによって開口２２にアクセスする。入れられるべき使い捨て物を、開口２２の中へ入れる（この場合、可撓性チューブ３２のカセット３０が物を取り囲む）。閉位置において付勢された、閉鎖機構５０の固定部分５２と可動部分５８の受け面５６，６２が、ユーザの手にある使い捨て物を、受け面５６，６２の間の接触領域に差し向けるトラフを形成する。
【００４１】
ユーザが使い捨て物を下向きに押して、図３B及び図３Cに示すように、可動部分５８を除々に開く。可動部分５８の傾斜をなす受け面６２は、下向きの力が可動部分５８を、図１の方向Ａで示す摺動運動により、ばね６７の力に抗して固定部分５２と接触した閉位置（図３A）から開位置（図３C）に押すように、スロット６６の方向に沿って容易に変換されるのを助ける。可動部分５８は、使い捨て物に加えられる力によって移動されるので、可動部分は、使い捨て物が閉鎖機構５０を通過するのに十分なだけ摺動し、可動部分５８の移動によって作られる開口の殆どは、使い捨て物によって塞がれ、開口２２を通って臭気が伝搬するのを最小にする。
【００４２】
使い捨て物が一旦、可動部分５８の頂点６０を通り超すと、ユーザは使い捨て物を離し、手を引っ込める。可動部分５８は、ばね６７の作用で、摺動移動によって図１及び図３Ａの閉位置に迅速に戻り、可動チューブ３２内に物を効果的に密封する。頂点６０より下の固定部分５２の湾曲輪郭、及びもっと重要なことに、頂点６０より下の可動部分５８の湾曲輪郭は、抵抗があるならば使い捨て物をさらに押し下げるのを助ける、何故ならば可動部分５８が閉位置に戻って下向きの押し力を使い捨て物に加えるからである。
【００４３】
カセットの異なる形態が考えられることを指摘する。実例として、面取りの代わりに異なる形状のクリアランス部を用いることができる。面取り形状の使用は、カセット３０の受け器３８の体積を実質的に減少させず、それによってカセット３０内に受け入れられるチューブ３２の量をほぼ維持する。
【００４４】
図４、図５Ａ、及び図５Ｂに示す変形の実施形態では、カセット３０´は、面取りクリアランス部４１とは対照的に（カセット３０´の底の外周に裁頭円錐形状を形成する）テーパー付きクリアランス部４１´を備える。テーパー付きクリアランス部４１´は、図４で明らかに解るように、装置１０のホルダ２６のテーパー付きフランジ４４´（即ち、フランジ４４´は、裁頭円錐形状の干渉部材を画成する）と関連して用いられる。従って、この相補的な形状は、カセット３０´がホルダ２６内に正しく向けられるのを保証し、さもなければ漏斗２５を、ビン１２の上に正しく取り付けることができない。その上、蓋２４及び漏斗２５組立体は、カセット３０´の不正確な配向で閉じることの問題を有する。同様の参照番号は、図１及び図４の同様の要素を示すことを指摘する。
【００４５】
詰められる新しい使い捨て物毎に、筐体１８内の既に引かれた長さの可撓性チューブ３２内に使い捨て物を落とすか、又は使い捨て物が装置１０内のチューブの中へ下方に移動するので、他の使い捨て物を収容する、追加の長さの可撓性チューブ３２をカセット３０から引き出すかの何れかの度に、筐体１８が、可撓性フィルム３２の物で満たされた区間を収容して満たされるまで、工程は繰り返される。この場合、上部分１４を回動させて、底部分から離す。次いで、例えば設けられた刃物７０を用いて可撓性チューブ３２を切断し、次いで、可撓性チューブを結んで、ビン１２から取り出すことができる、ほぼ密封された小袋を形成する。上部分１４を回動させて底部分と係合させ、上述のように装置１０を再度使用する。
【００４６】
図２Ａ及び図２Ｂのカセット３０を使用する装置１０の他の実施形態では、閉鎖機構５０の固定部分５２´は、ビン１２の開口２２内で上方に延びる上端５４´を有する。上端５４´は、カセット３０がホルダ２６の中に位置決めされたときに、カセット３０の開口３４の中へ延びるように寸法決めされている。逆さまに位置決めされたならば、カセット３０は、環状フランジ４３の上に延び、リング６８はビン１２に位置決めできない。
【００４７】
図７によって示される他の実施形態では、ホルダ２６は、面取りクリアランス部４１についてカセット３０の形状と相補的である形状を有する干渉部材７０を備える。干渉部材７０の存在により、カセット３０を使用されるべきホルダ２６に正しく取り付けなければならない。図７に示すように、ホルダ２６の両側に一対の干渉部材７０が選択的に設けられる。
【００４８】
装置１０の利点は、可撓性チューブ３２を密封する部品の殆どない簡単な構造の楔形閉鎖機構５０の使用を含む。カセットの形態は、カセット３０がホルダ２６に正しく取り付けられるのを保証し、これによって、正しく取り付けられたカセットが、図１に示すように、チューブ３２で殆ど覆われるので、カセットの壁（及びユーザの手）の汚染を防止する。機構５０は、装置１０の複雑さを大いに減じ、組立を容易にし、さらに従来の装置よりも少ない量の可撓性チューブ３２の使用を可能にする。そのうえ、可動部分５８の経路を傾斜させることにより、可動部分５８を付勢するのに要求される力に対する小さい水平クリアランス部の最適化を可能にする。最後に、機構の個々の部分の形状は、使い捨て物が「戻る」のを防止する、即ち、一旦、使い捨て物が、フィルム材料を引っ張る圧力下に挿入されると、使い捨て物は、閉鎖機構５０によって可撓性チューブの中に強制的に残るようにする。
【図面の簡単な説明】
【００４９】
【図１】本発明の第１の実施形態による装置の断面図である。
【図２Ａ】図１の装置について使用されるカセットの底斜視図である。
【図２Ｂ】図２Ａのカセットの上斜視図である。
【図３Ａ】閉鎖機構が閉位置にある、チューブのない図１の装置の横断面図である。
【図３Ｂ】閉鎖機構を開位置に向かって移動させた、図３Ａの装置の横断面図である。
【図３Ｃ】閉鎖機構が全開位置にある、図３Ａの装置の横断面図である。
【図４】本発明の第２の実施形態による装置の横断面図である。
【図５Ａ】図４の装置について使用されるカセットの底斜視図である。
【図５Ｂ】図５Ａのカセットの上斜視図である。
【図６】本発明の第３の実施形態による装置の拡大斜視図である。
【図７】干渉部材を有する装置について使用される、図２Ａのカセットを示す断面図である。
【図１】
0005715322.tif 000002
【図２Ａ】
0005715322.tif 000003
【図２Ｂ】
0005715322.tif 000004
【図３Ａ】
0005715322.tif 000005
【図３Ｂ】
0005715322.tif 000006
【図３Ｃ】
0005715322.tif 000007
【図４】
0005715322.tif 000008
【図５Ａ】
0005715322.tif 000009
【図５Ｂ】
0005715322.tif 000010
【図６】
0005715322.tif 000011
【図７】
0005715322.tif 000012